(57)【要約】 【課題】ユーザ毎の下りリンクの無線伝搬路状況に応じてユーザ送信データの優先順を設け、優先順が高いユーザ送信データを伝搬路推定データの近くに配置することで、優先順が高いユーザ送信データの受信性能が劣化しないようにする。【解決手段】スケジューリング部２０は、データバッファ部１１から送信データ制御部１２に供給される複数のユーザ送信データの配置を、伝搬路情報処理部１９から供給される対応する移動局ＭＳからの無線伝搬路特性変動情報に基づいて決定し、送信制御部１２は、この決定された配置に基づいて、パイロット信号に続けて、伝搬路特性変動速度の速いユーザ送信データの変調データから伝搬路特性変動速度の遅いユーザ送信データの変調データが順番に配置されてなるスロット送信データを生成する。【選択図】図１
2007116427.tif 000002
【特許請求の範囲】
【請求項１】
基地局から移動局への下りリンク通信フレームを時間軸方向に複数分割して形成されたスロット内に、移動局それぞれが伝搬路推定を行う際に共用する伝搬路推定データと基地局から移動局それぞれへのユーザ送信データとを配置する際に適用され、当該スロット内における複数のユーザ送信データそれぞれの時間軸方向の配置を調整するスケジューリング方法であって、
スロット内に配置する複数のユーザ送信データそれぞれの伝搬路情報を取得する伝搬路情報取得ステップ、
該伝搬路情報取得ステップによって取得した複数のユーザ送信データそれぞれの伝搬路情報に応じて、伝搬路推定データの時間軸方向の配置位置を基準に、複数のユーザ送信データそれぞれの時間軸方向の相互配置位置を決定する配置決定ステップ、
を有することを特徴とするスケジューリング方法。
【請求項２】
前記伝搬路情報取得ステップは、スロット内に配置する複数のユーザ送信データそれぞれの伝搬路特性変動速度を取得する伝搬路特性変動速度取得ステップであり、
前記配置位置決定ステップは、該伝搬路特性変動速度取得ステップによって取得した複数のユーザ送信データそれぞれの伝搬路特性変動速度の高低に応じて、伝搬路推定データの時間軸方向の配置位置を基準に、複数のユーザ送信データそれぞれの時間軸方向の相互配置位置を決定する配置決定ステップである
ことを特徴とする請求項１記載のスケジューリング方法。
【請求項３】
前記伝搬路情報取得ステップは、スロット内に配置する複数のユーザ送信データそれぞれの伝搬路特性変動速度とデータ変調方式とを取得する伝搬路特性変動速度／データ変調方式取得ステップであり、
前記配置位置決定ステップは、該伝搬路特性変動速度／データ変調方式取得ステップによって取得した複数のユーザ送信データそれぞれの伝搬路特性変動速度の高低及びデータ変調方式の変調度の大小に応じて、伝搬路推定データの時間軸方向の配置位置を基準に、複数のユーザ送信データそれぞれの時間軸方向の相互配置位置を決定する配置位置決定ステップである
ことを特徴とする請求項１記載のスケジューリング方法。
【請求項４】
移動局への下りリンク通信フレームを時間軸方向に複数分割して形成されたスロット内に、移動局それぞれが伝搬路推定を行う際に共用する伝搬路推定データと基地局から移動局それぞれへのユーザ送信データとを時間軸方向に配置したスロット送信データを割り当てて送信する基地局であって、
スロット内に配置する複数のユーザ送信データそれぞれの伝搬路情報を取得する伝搬路情報取得手段と、
該伝搬路情報取得手段によって取得した複数のユーザ送信データそれぞれの伝搬路情報に応じて、伝搬路推定データの時間軸方向の配置位置を基準に、複数のユーザ送信データそれぞれのスロット送信データにおける時間軸方向の相互配置位置を決定するスケジューリング手段と、
スロット送信データにおけるユーザ送信データの時間軸方向の配置を該スケジューリング手段によって決定された相互配置位置に配置制御する送信データ制御手段と
を備えていることを特徴とする基地局。
【請求項５】
移動局への下りリンク通信フレームを時間軸方向に複数分割して形成されたスロット内に、移動局それぞれが伝搬路推定を行う際に共用する伝搬路推定データと基地局から移動局それぞれへのユーザ送信データとを時間軸方向に配置したスロット送信データを割り当てて送信する送信機であって、
移動局別のユーザ送信データを一時保存するデータバッファ手段と、
該データバッファ手段にユーザ送信データが一時保存されている移動局それぞれの伝搬路情報を取得する伝搬路情報取得手段と、
該伝搬路情報取得手段によって取得した複数のユーザ送信データそれぞれの伝搬路情報に応じて、伝搬路推定データの時間軸方向の配置位置を基準に、複数のユーザ送信データそれぞれのスロット送信データにおける時間軸方向の相互配置位置を決定するスケジューリング手段と、
前記データバッファ手段に一時保存されている移動局別のユーザ送信データを、該スケジューリング手段によって決定された相互配置位置に基づいて時間軸方向に配置制御して、伝搬路推定データを時間多重したスロット送信データを生成する送信データ制御手段と
を備えていることを特徴とする送信機。
【発明の詳細な説明】
【技術分野】
【０００１】
本発明は、基地局から移動局への下りリンクの通信において、ユーザ送信データのスケジューリング方法、基地局、及び送信機に関する。
【背景技術】
【０００２】
３ＧＰＰ（3rd Generation Partnership Project）では、Ｗ−ＣＤＭＡ（Wideband Code Division Multiple Access）方式が第３世代セルラー移動体通信方式として標準化され、順次サービスが開始されている。また、通信速度を更に上げたＨＳＤＰＡ（High Speed Downlink Packet Access）も標準化され、サービスが開始されようとしている。
【０００３】
一方、３ＧＰＰでは、第３世代無線アクセスの進化（Evolved Universal Terrestrial Radio Access，以下、ＥＵＴＲＡと称する）が検討されている。この検討では、ＥＵＴＲＡの下りリンクとして、ＯＦＤＭ（Orthogonal Frequency Division Multiplexing）方式が提案されている。
【０００４】
ＥＵＴＲＡ技術として、ＯＦＤＭ方式にチャネル符号化等の適応無線リンク制御（リンクアダプテーション，Link adaptation）に基づく適応変復調・誤り訂正方式（ＡＭＣＳ：Adaptive Modulation and Coding Scheme、以降ＡＭＣＳ方式と称する）といった技術が適用されている。
【０００５】
ＡＭＣＳ方式とは、高速パケットデータ伝送を効率的に行うために、各移動局の伝搬路状況に応じて、誤り訂正方式，誤り訂正の符号化率，データ変調多値数，時間・周波数軸の符号拡散率（ＳＦ：Spreading Factor），マルチコード多重数等といった無線伝送パラメーター（以下、ＡＭＣモードと称する）を切り替える方式である。
【０００６】
例えば、データ変調については、伝搬路状況が良好になるに従って、ＱＰＳＫ（Quadrature Phase Shift Keying）変調から、８ＰＳＫ変調、１６ＱＡＭ（Quadrature Amplitude Modulation）変調等といったように、より高い効率の多値変調に切り替えることで、通信システムの最大スループットを増大させることができる。
【０００７】
ここで、ＥＵＴＲＡについて、３ＧＰＰの提案をベースに想定されている上り・下りリンクのチャネル構成について、図１４に基づいて説明する。
【０００８】
図１４は、３ＧＰＰの提案をベースに想定されているＥＵＴＲＡの上り・下りリンクのチャネル構成図である。
【０００９】
ＥＵＴＲＡの下りリンクは、下りリンクパイロットチャネルＤＰｉＣＨ（Downlink Pilot Channel）、下り同期チャネルＤＳＣＨ（Downlink Synchronization Channel）、下りリンク共通制御チャネルＤＣＣＣＨ（Downlink Common Control Channel）、下りリンク共用制御シグナリングチャネルＤＳＣＳＣＨ（Downlink Shared Control Signaling Channel）、下りリンク共用データチャネルＤＳＤＣＨ（Downlink Shared Data Channel）により構成されている。
【００１０】
これに対し、ＥＵＴＲＡの上りリンクは、コンテンションベースチャネルＣＢＣＨ（Contention-based Channel）、上りリンクスケジュリングチャネルＵＳＣＨ（Uplink Scheduling Channel）により構成されている。
【００１１】
ＥＵＴＲＡの下りリンクにおいて、下りリンクパイロットチャネルＤＰｉＣＨには、下りリンク共通パイロットチャネルＤＣＰｉＣＨ（Downlink Common Pilot Channel）と下りリンク個別パイロットチャネルＤＤＰｉＣＨ（Downlink Dedicated Pilot Channel）とが含まれている。
【００１２】
下りリンク共通パイロットチャネルＤＣＰｉＣＨは、Ｗ−ＣＤＭＡ方式の共通パイロットチャネルＣＰＩＣＨ（Common Pilot Channel）に相当し、ＡＭＣＳ方式における下りリンク無線伝搬路特性の推定、セルサーチ、及び上り送信電力制御の伝搬路ロス測定に使用されている。
【００１３】
また、下りリンク個別パイロットチャネルＤＤＰｉＣＨは、例えばアダブティブアレイアンテナ等といったセル共用アンテナとは異なる無線伝搬路特性を有するアンテナから個別移動局ＭＳに送信されるか、又は、必要に応じて受信品質の低い移動局ＭＳに対して、下りリンク共通パイロットチャネルＤＣＰｉＣＨの補強の目的で使用することも可能である。
【００１４】
下り同期チャネルＤＳＣＨは、Ｗ−ＣＤＭＡ方式の同期チャネルＳＣＨ（Synchronization Channel）に相当し、移動局ＭＳのセルサーチ，ＯＦＤＭ信号の無線フレーム，タイムスロットＴＴＩ（Transmission Time Interval），ＯＦＤＭシンボルタイミング同期に使用されている。
【００１５】
下りリンク共通制御チャネルＤＣＣＣＨは、Ｗ−ＣＤＭＡ方式の第１共通制御物理チャネルＰ-ＣＣＰＣＨ（Primary Common Control physical Channel），第２共通制御物理チャネルＳ-ＣＣＰＣＨ（Secondary Common Control physical Channel）、及びページングインディケーターチャネルＰＩＣＨ（Paging Indicator Channel）に相当するもので、報知情報，ページングインジケーターＰＩ（Paging Indicator）情報，ページング情報，下りアクセス情報等の共通制御情報が含んでいる。
【００１６】
下りリンク共用制御シグナリングチャネルＤＳＣＳＣＨは、ＨＳＤＰＡ方式の高速物理下り共用チャネルＨＳ-ＰＤＳＣＨ（High Speed physical Downlink Shared Channel）の制御情報チャネルに相当し、複数の移動局ＭＳが共用し、各移動局ＭＳに高速下り共用チャネルＨＳ-ＤＳＣＨ（High Speed Downlink Shared Channel）の復調に必要な情報（変調方式，拡散符号等），誤り訂正復号処理やＨＡＲＱ（Hybrid Automatic Repeat reQuest）処理に必要な情報，及び無線リソース（周波数，時間）のスケジューリング情報等の送信に使用されている。
【００１７】
下りリンク共用データチャネルＤＳＤＣＨは、ＨＳＤＰＡ方式の高速物理下り共用チャネルＨＳ−ＰＤＳＣＨのパケットデータチャネルに相当し、上位レイヤから移動局宛てのパケットデータの送信に使用されている。
【００１８】
これに対し、上りリンクにおいて、コンテンションベースチャネルＣＢＣＨは、Ｗ−ＣＤＭＡ方式のランダムアクセスチャネルＲＡＣＨ（Random Access Channel）に相当する。このコンテンションベースチャネルＣＢＣＨには、ファーストアクセスチャネルＦＡＣＨ（Fast Access Channel），予約チャネルＲＣＨ（Reservation  Channel），及び上りリンク同期チャネルＵＳＣＨ（Uplink Synchronization Channel）が含まれている。
【００１９】
また、上りリンクスケジュリングチャネルＵＳＣＨは、Ｗ−ＣＤＭＡ方式の上り個別データチャネルＤＰＤＣＨ（Dedicated Physical Data Channel）とＨＳＤＰＡ方式の高速下り共用チャネルＨＳ−ＤＳＣＨ関連上り個別物理制御チャンルＨＳ−ＤＰＣＣＨ（Dedicated Physical Control Channel for HS-DSCH）に相当し、各移動局ＭＳが共用で、移動局ＭＳのパケットデータ送信，下りチャネル伝搬路品質情報ＣＱＩ（Channel Quality Indicator），ＨＡＲＱ等のフィードバック情報，上りパイロット，上りリンクチャネル制御情報等の伝送に使用する。
【００２０】
次に、上述したような上り・下りリンクのチャネル構成を有するＥＵＴＲＡについて、３ＧＰＰの提案をベースに想定されている下りリンクの無線フレームの構成を、図１５に基づいて説明する。
【００２１】
図１５は、ＥＵＴＲＡの下りリンク無線フレームの構成図である。
図１５に示したように、下りリンク無線フレームは、周波数軸の軸方向に沿った複数サブキャリアのかたまりであるチャンクＣｈｕｎｋと、時間軸のタイムスロットＴＴＩとによって、２次元で構成されている。
【００２２】
チャンクＣｈｕｎｋは、周波数軸方向に幾つかサブキャリアのかたまりとして構成されている。例えば、周波数軸では、下りリンクの全体のスペクトル（下りリンク周波数帯域幅）ＢＷを２０ＭＨｚ，チャンクＣｈｕｎｋの周波数帯域幅Ｂｃｈを１．２５ＭＨｚ，サブキャリア周波数帯域幅Ｂｓｃを１２．５ｋＨｚとする場合、下りリンクでは、周波数方向に１６個のチャンクＣｈｕｎｋが形成でき、１つのチャンクに１００本サブキャリアが用いられ、スペクトル全体では１６００本サブキャリアが含まれる。
【００２３】
同様に、時間軸では、例えば、１つの無線フレームを１０ｍｓ，タイムスロットＴＴＩを０．５ｍｓとする場合、１つの無線フレームには２０個のタイムスロットＴＴＩが含まれる。
【００２４】
すなわち、図１５に示した無線フレームの場合では、１つ無線フレームに周波数方向に１６個のチャンクＣｈｕｎｋ，時間方向に２０個のタイムスロットＴＴＩ，１つのタイムスロットＴＴＩに複数のＯＦＤＭシンポル長Ｔｓが含まれている。
【００２５】
したがって、この例では、移動局が使用可能な最小の無線リソース単位としては，１つのチャンク（１００本サブキャリア）と１つのタイムスロットＴＴＩ（０．５ｍｓ）とからなる単位によって構成されている。その上で、この１つのチャンクＣｈｕｎｋ及び１つのタイムスロットＴＴＩからなる無線リソース単位を、さらに細かく分割することもできる。
【００２６】
ＥＵＴＲＡでは、図１５に示したように、下りリンク共通パイロットチャネルＤＣＰｉＣＨは、無線フレームにおける各タイムスロットＴＴＩの先頭にマッピングする構成になっている。
【００２７】
また、下りリンク個別パイロットチャネルＤＤＰｉＣＨは、基地局ＢＳのアンテナ使用状況、または移動局ＭＳの伝搬路状況に応じて、必要な場合に１つのタイムスロットＴＴＩの適当な位置にマッピングするようになっている。例えば、図１５中、チャンクＣｈｕｎｋ_１及びタイムスロットＴＴＩ_１で特定される無線リソース単位に示されているように、タイムスロットＴＴＩの中心部にマッピングする。
【００２８】
また、下りリンク共通制御チャネルＤＣＣＣＨと下りリンク同期チャネルＤＳＣＨとは、無線フレームの先頭のタイムスロットＴＴＩにマッピングされている。図１５に示すように、下りリンク共通制御チャネルＤＣＣＣＨは、無線フレームの先頭のタイムスロットＴＴＩの時間軸方向に下りリンク共通パイロットチャネルＤＣＰｉＣＨに続けてマッピングされ、下りリンク同期チャネルＤＳＣＨは、無線フレームの先頭のタイムスロットＴＴＩの時間軸方向末尾にマッピングされる。
【００２９】
これら下りリンク共通制御チャネルＤＣＣＣＨ及び下りリンク同期チャネルＤＳＣＨを、無線フレーム先頭のタイムスロットＴＴＩにマッピングすることにより、移動局ＭＳはアイドルモード（idle mode）の場合、無線フレーム先頭のタイムスロットＴＴＩ_１だけ、あるいは無線フレーム先頭のタイムスロットＴＴＩ_１内の数ＯＦＤＭシンボル長（Ｔｓ）を受信すれば、セルサーチ，タイミング同期，報知情報，及びページング情報等の共通制御情報を受信することが可能である。そのため、移動局ＭＳは、アイドルモードの場合、間欠受信（ＩＲ：Intermittent Reception）で動作することができる。
【００３０】
また、下りリンク共用制御シグナリングチャネルＤＳＣＳＣＨは、下りリンク共通パイロットＣＰＩＣＨと同様に、各タイムスロットＴＴＩの先頭に、下りリンク共通パイロットＣＰＩＣＨ、又は下りリンク共通パイロットＣＰＩＣＨの後の下りリンク共通制御チャネルＤＣＣＣＨに時間軸方向に続けてマッピングしている。そのため、移動局ＭＳがパケット通信中でも各タイムスロットＴＴＩに自局宛てのパケットデータがない場合、下りリンク共用制御シクナリングチャネルＤＳＣＳＣＨだけを受信する間欠受信が可能である。
【００３１】
また、下りリンク共用データチャネルＤＳＤＣＨは、チャンクＣｈｕｎｋ単位で分割し、ＡＭＣＳ方式をベースに、各移動局宛てのパケットデータを送信する。各チャンクＣｈｕｎｋは、各移動局ＭＳの伝搬路状況に応じて、１又は複数のユーザ（一例として、図１５に示したように、移動局ＭＳ１，ＭＳ２，ＭＳ３，ＭＳ４，ＭＳ５，ＭＳ６，ＭＳ７，ＭＳ８）に割り当てられている。
【００３２】
ＥＵＴＲＡでは、図１５に示したように、その無線フレームのタイムスロットＴＴＩ_１，ＴＴＩ_２に示した場合の如く、１つのチャンクＣｈｕｎｋと１つのタイムスロットＴＴＩとで形成されるリソース単位を、１つのユーザに割り当て、無線伝搬路特性の良いユーザに対しては１乃至は複数のチャンクＣｈｕｎｋ分のリソース単位を割り当て、マルチユーザダイバーシチ効果を利用して、システム全体のスループットを向上するユーザスケジューリング方法が提案されている。
【００３３】
また、ＥＵＴＲＡでは、図１５に示したように、その無線フレームのタイムスロットＴＴＩ_３，ＴＴＩ_ｎ−１，ＴＴＩ_ｎに示した場合の如く、複数のチャンクＣｈｕｎｋと１つのタイムスロットＴＴＩを１乃至は複数のＯＦＤＭシンボル長（Ｔｓ）に分割したサブタイムスロットｓｕｂ−ＴＴＩとで形成される無線リソースを、１つのユーザに割り当て、セル境界や高速移動等で無線伝搬路特性の悪いユーザには、複数のチャンクに渡った広い周波数帯域幅を持たせることによって、周波数ダイバーシチ効果を利用して受信特性を改善するユーザスケジューリング方法も提案されている。
【００３４】
【非特許文献１】Ｒ１−０５０２４９  “Downlink  Multiple  Access  Scheme  for  Evolved  UTRA”３ＧＰＰ  ＴＳＧ  ＲＡＮ  ＷＧ１  Ｍｅｔｔｉｎｇ＃４０ｂｉｓ  Ｂｅｉｊｉｎｇ，Ｃｈｉｎａ，４−８  Ａｐｒｉｌ，２００５
【非特許文献２】Ｒ１−０５０４６４  “Physical Channel Structures for Evolved UTRA”３ＧＰＰ  ＴＳＧ  ＲＡＮ  ＷＧ１  Ｍｅｔｔｉｎｇ＃４１  Ａｔｈｅｎｓ，Ｇｒｅｅｃｅ，９−１３  Ｍａｙ，２００５
【発明の開示】
【発明が解決しようとする課題】
【００３５】
従来技術に示したように、ＥＵＴＲＡでは、その下りリンクにおけるパケットデータスループット向上，受信品質改善のために、マルチユーザダイバーシチ及び周波数ダイバーシチ方式のユーザスケジューリング方法が提案されている。
【００３６】
ところで、周波数ダイバーシチ方式のユーザスケジューリング方法を適用する場合、１つのタイムスロットＴＴＩにサブタイムスロットｓｕｂ−ＴＴＩ単位で複数のユーザそれぞれに対する送信データが収容される。そのため、周波数ダイバーシチ方式でスケジューリングされる複数のユーザは、ユーザダイバーシチ方式でスケジューリングされるユーザよりも無線伝搬路特性が悪くなっていることが想定される。
【００３７】
しかし、ＥＵＴＲＡでは、無線伝搬路特性が悪いことからマルチユーザダイバーシチ方式に対して周波数ダイバーシチ方式でスケジューリングされるため、周波数ダイバーシチ方式では、下りリンク個別パイロットチャネルＤＤＰｉＣＨを必要としないようになっている。仮に、周波数ダイバーシチ方式で、下りリンク個別パイロットチャネルＤＤＰｉＣＨを各ユーザ送信データに挿入すると、下りリンク個別パイロットチャネルＤＤＰｉＣＨ分のオーベーヘッドが多くなるため、各ユーザへ送信できるデータ量が少なくなり、無線リソースの利用効率が悪くなる。この点からも、周波数ダイバーシチ方式のスケジューリングでは、下りリンク個別パイロットチャネルＤＤＰｉＣＨを使用しないことが想定され、下りリンク共通パイロットＤＣＰｉＣＨのみで無線伝搬路特性を推定することが必要と考えられる。
【００３８】
しかしながら、周波数ダイバーシチ方式のスケジューリングにおいて、１つのタイムスロットＴＴＩに１つの下りリンク共通パイロットＤＣＰｉＣＨを配置し、複数のユーザが、この下りリンク共通パイロットＤＣＰｉＣＨを利用して無線伝搬路特性の推定を行う場合、図１６に示したように、タイムスロットＴＴＩ内で下りリンク共通パイロットＤＣＰｉＣＨから遠い位置に配置されたユーザは、その無線伝搬路特性の推定時点とデータの取得時点とが離れているため、下りリンク無線伝搬路特性の推定誤差が大きくなって、下りリンク無線伝搬路特性の変動の影響を受け易くなる。
【００３９】
図１６は、ＥＵＴＲＡの下りリンク無線伝搬路における無線伝搬路特性変動速度の影響についての説明図である。
【００４０】
すなわち、下りリンク共通パイロットＤＣＰｉＣＨから遠い位置に配置されたユーザは、下りリンク共通パイロットＤＣＰｉＣＨの受信に基づく無線伝搬路特性の推定時点と、データの取得時点とで、受信ＳＩＲ（Signal to Interference Ratio）のレベルが大きく異なることになってしまう。
【００４１】
そのため、周波数ダイバーシチ方式のスケジューリングでは、無線伝搬路特性の変動の速いユーザは、タイムスロットＴＴＩ内で下りリンク共通パイロットＤＣＰｉＣＨから遠い位置に配置されると、受信性能が低下するという問題が発生する。
【００４２】
本発明は、スケジューリング方法、基地局、及び送信機に係り、下りリンク無線伝搬路特性変動の高低（速い遅い）等といったユーザ毎の下りリンクの無線伝搬路情報に応じてユーザ送信データの優先順を設け、優先順が高いユーザ送信データをパイロットチャネルＰｉＣＨ又はパイロットシンポル（例えば，下りリンク共通パイロットＤＣＰｉＣＨ）といった伝搬路推定データの近くに配置することで、無線伝搬路特性変動の速い等といった優先順が高いユーザに対して受信性能が劣化しないようにすることを目的とする。
【課題を解決するための手段】
【００４３】
上記した課題を解決するために、本発明のスケジューリング方法は、基地局から移動局への下りリンク通信フレームを時間軸方向に複数分割して形成されたスロット内に、移動局それぞれが伝搬路推定を行う際に共用する伝搬路推定データと基地局から移動局それぞれへのユーザ送信データとを配置する際に適用され、当該スロット内における複数のユーザ送信データそれぞれの時間軸方向の配置を調整するスケジューリング方法であって、スロット内に配置する複数のユーザ送信データそれぞれの伝搬路情報を取得する伝搬路情報取得ステップ、該伝搬路情報取得ステップによって取得した複数のユーザ送信データそれぞれの伝搬路情報に応じて、伝搬路推定データの時間軸方向の配置位置を基準に、複数のユーザ送信データそれぞれの時間軸方向の相互配置位置を決定する配置決定ステップを有することを特徴とする。
【００４４】
また、その伝搬路情報取得ステップは、スロット内に配置する複数のユーザ送信データそれぞれの伝搬路特性変動速度を取得する伝搬路特性変動速度取得ステップであり、その配置位置決定ステップは、この伝搬路特性変動速度取得ステップによって取得した複数のユーザ送信データそれぞれの伝搬路特性変動速度の高低に応じて、伝搬路推定データの時間軸方向の配置位置を基準に、複数のユーザ送信データそれぞれの時間軸方向の相互配置位置を決定する配置決定ステップであることを特徴とする。
【００４５】
また、その伝搬路情報取得ステップは、スロット内に配置する複数のユーザ送信データそれぞれの伝搬路特性変動速度とデータ変調方式とを取得する伝搬路特性変動速度／データ変調方式取得ステップであり、その配置位置決定ステップは、伝搬路特性変動速度／データ変調方式取得ステップによって取得した複数のユーザ送信データそれぞれの伝搬路特性変動速度の高低及びデータ変調方式の変調度の大小に応じて、伝搬路推定データの時間軸方向の配置位置を基準に、複数のユーザ送信データそれぞれの時間軸方向の相互配置位置を決定する配置位置決定ステップであることを特徴とする。
【００４６】
また、本発明の基地局は、移動局への下りリンク通信フレームを時間軸方向に複数分割して形成されたスロット内に、移動局それぞれが伝搬路推定を行う際に共用する伝搬路推定データと基地局から移動局それぞれへのユーザ送信データとを時間軸方向に配置したスロット送信データを割り当てて送信する基地局であって、スロット内に配置する複数のユーザ送信データそれぞれの伝搬路情報を取得する伝搬路情報取得手段と、この伝搬路情報取得手段によって取得した複数のユーザ送信データそれぞれの伝搬路情報に応じて、伝搬路推定データの時間軸方向の配置位置を基準に、複数のユーザ送信データそれぞれのスロット送信データにおける時間軸方向の相互配置位置を決定するスケジューリング手段と、スロット送信データにおけるユーザ送信データの時間軸方向の配置をスケジューリング手段によって決定された相互配置位置に配置制御する送信データ制御手段とを備えていることを特徴とする。
【００４７】
また、本発明の送信機は、移動局への下りリンク通信フレームを時間軸方向に複数分割して形成されたスロット内に、移動局それぞれが伝搬路推定を行う際に共用する伝搬路推定データと基地局から移動局それぞれへのユーザ送信データとを時間軸方向に配置したスロット送信データを割り当てて送信する通信機であって、移動局別のユーザ送信データを一時保存するデータバッファ手段と、データバッファ手段にユーザ送信データが一時保存されている移動局それぞれの伝搬路情報を取得する伝搬路情報取得手段と、伝搬路情報取得手段によって取得した複数のユーザ送信データそれぞれの伝搬路情報に応じて、伝搬路推定データの時間軸方向の配置位置を基準に、複数のユーザ送信データそれぞれのスロット送信データにおける時間軸方向の相互配置位置を決定するスケジューリング手段と、データバッファ手段に一時保存されている移動局別のユーザ送信データを、スケジューリング手段によって決定された相互配置位置に基づいて時間軸方向に配置制御して、伝搬路推定データを時間多重したスロット送信データを生成する送信データ制御手段とを備えていることを特徴とする。
【発明の効果】
【００４８】
本発明は以上に説明したように、ユーザ毎の下りリンクの無線伝搬路情報に応じてユーザ送信データの優先順を設け、優先順が高いユーザ送信データをパイロットチャネルＰｉＣＨ又はパイロットシンポルといった伝搬路推定データの近くに配置することで、優先順が高いユーザ送信データの復調時のエラーの発生を少なくすることができる。
【００４９】
より具体的には、本発明は、無線伝搬路特性変動速度が速いユーザに対してのユーザ送信データをパイロットチャネルの近くに配置することで、無線伝搬路特性変動速度が速いユーザも精度よく無線伝搬路特性の推定が行え、復調時のエラーの発生を少なくすることができる。
【００５０】
さらに、本発明は、ユーザ送信データの優先順について、ユーザ毎の下りリンクの無線伝搬路状況として、無線伝搬路特性変動速度だけでなくその変調方式等も考慮することにより、さらに精度よく復調が行える。
【発明を実施するための最良の形態】
【００５１】
以下、本発明の実施の形態に係るスケジューリング方法、基地局、及び送信機について図面とともに説明する。
【００５２】
なお、その実施の形態の説明に当っては、前述の図１４に示した３ＧＰＰの提案をベースに想定されているＥＵＴＲＡの上り・下りリンクのチャネル構成、並びに図１５に示したその下りリンク無線フレームの構成に適用した場合について説明する。
【００５３】
図１は、本発明の一実施の形態による基地局の構成図である。
基地局ＢＳは、データバッファ部１１，送信データ制御部１２，パイロット生成部１３，データ変調部１４，無線送信部１５，アンテナ部１６，無線受信部１７，上りリンク受信処理部１８，伝搬路情報処理部１９，スケジューリング部２０を備えて構成され、さらにスケジューリング部２０は、割り当て部２１，サブスロット（ｓｕｂ−ＴＴＩ）配置部２２を有する構成になっている。
【００５４】
データバッファ部１１は、上位層から供給されるユーザ別１〜ｎの個別送信データであるユーザ送信データを一時保存する。データバッファ部１１は、このユーザ送信データの一時保存にあたって、一時保存している各ユーザ１〜ｎのユーザ送信データそれぞれについて、例えばバッファ量やデータ種類等といった後述のスケジューリングに必要な情報を取得し、これら取得した情報をスケジューリング部２０の割り当て部２１にスケジューリングベース情報として供給する。
【００５５】
また、データバッファ部１１は、スケジューリング部２０の割り当て部２１から供給される選択供給指示に基づいて、この一時保存しているユーザ送信データから、１又は複数のユーザ送信データを選択し、当該選択したユーザ送信データから合計で、図１５に示した１つのタイムスロットＴＴＩの下りリンク共用データチャネルＤＳＤＣＨで送信可能なデータ量分、すなわち１つのタイムスロットＴＴＩで送信可能なデータ量分だけデータを取り出して、送信データ制御部１２に供給する。その取り出し際、データバッファ部１１は、当該選択した個別ユーザのユーザ送信データから、タイムスロットＴＴＩのサブスロットに割り当て可能なデータ量単位で取り出す。
【００５６】
送信データ制御部１２は、スケジューリング部２０のサブスロット配置部２２から供給されるサブスロット配置指示に基づいて、データバッファ部１１から供給される合計で１つのタイムスロットＴＴＩで送信可能なデータ量分の１又は複数のユーザ送信データを、図１５に示した１つのタイムスロットＴＴＩの下りリンク共用データチャネルＤＳＤＣＨで送信するためのスロット送信データに編成する。
【００５７】
データ変調部１４は、送信データ制御部１２から供給されるスロット送信データを、スケジューリング部２０のサブスロット配置部２２から供給される変調指示に基づいてデータ変調し、無線送信部１５に供給する。また、データ変調部１４は、その変調処理の際に、パイロット生成部１３から供給されるパイロット信号を、スロット送信データに時間多重する。
【００５８】
無線送信部１５は、データ変調部１４から供給される変調された送信データを、無線信号に変換して、アンテナ部１６から各移動局ＭＳに送信する。
【００５９】
一方、無線受信部１７は、各移動局ＭＳからの無線信号をアンテナ部１６を介して受信・復調して、上りリンク受信処理部１８で処理するデータ系列に変換して、上りリンク受信処理部１８に供給する。
【００６０】
上りリンク受信処理部１８は、無線受信部１７からの変換されたデータ系列を、移動局ＭＳからの個別送信データすなわち受信ユーザデータと、基地局ＢＳに対しての制御用データとに分離し、この制御用データに含まれている移動局ＭＳで測定した基地局ＢＳからの下りリンクの無線伝搬路情報を取り出し、伝搬路情報処理部１９に供給する。上りリンク受信処理部１８は、分離した受信ユーザデータについては、上位層に供給する。
【００６１】
伝搬路情報処理部１９は、上りリンク受信処理部１８から供給される無線伝搬路情報を、移動局ＭＳで測定された受信ＳＩＲ等の無線伝搬路品質情報と、ドップラー周波数等の無線伝搬路特性変動情報とに分離し、受信ＳＩＲ等の無線伝搬路品質情報をスケジューリング部２０の割り当て部２１に供給し、ドップラー周波数等の無線伝搬路特性変動情報をスケジューリング部２０のサブスロット配置部２２に供給する。なお、ここでは、伝搬路情報処理部１９は、無線伝搬路特性変動情報を上りリンク受信処理部１８から供給される移動局ＭＳからの無線伝搬路情報から分離するものとして説明したが、同一の移動局ＭＳに係り、今回取得した移動局ＭＳで測定された受信ＳＩＲ等の無線伝搬路品質情報と従前に取得した受信ＳＩＲ等の無線伝搬路品質情報とから、基地局ＢＳの伝搬路情報処理部１９側で無線伝搬路特性の変動を推定して、この推定結果を無線伝搬路特性の変動結果としてスケジューリング部２０のサブスロット配置部２２に供給する構成としてもよい。
【００６２】
スケジューリング部２０は、割り当て部２１とサブスロット配置部２２とを有して構成され、タイムスロットＴＴＩ毎の下りリンク共用データチャネルＤＳＤＣＨで送信するためのスロット送信データにおけるユーザ送信データの配置順を含めた割り当てスケジューリングや、そのユーザ送信データそれぞれのデータ変調方式を決定する。
【００６３】
割り当て部２１は、伝搬路情報処理部１９から供給される移動局ＭＳの無線伝搬路品質情報と、データバッファ部１１から供給されるスケジューリングベース情報とから、タイムスロットＴＴＩ内のスロット送信データに割り当てる１又は複数のユーザ送信データ並びにそのデータ量と、この割り当てる１又は複数のユーザ送信データそれぞれについて変調方式とを決定する。
【００６４】
そして、割り当て部２１は、データバッファ部１１がこの決定したタイムスロットＴＴＩ内のスロット送信データに割り当てる１又は複数のユーザ送信データ並びにその際に取り出すデータ量を送信データ制御部１２へ供給するように、データバッファ部１１に選択供給指示を供給する。
【００６５】
ここで、このデータバッファ部１１に対する選択供給指示は、スケジューリング方式に関して、マルチユーザダイバーシチ方式か又は周波数ダイバーシチ方式かの指示をも兼ねる。これは、データを取り出すユーザ送信データが１つのユーザ送信データからだけである場合はマルチユーザダイバーシチ方式であることを、複数のユーザ送信データからである場合は周波数ダイバーシチ方式であることを、それぞれ示していることによる。
【００６６】
なお、割り当て部２１がタイムスロットＴＴＩ内のスロット送信データに割り当てる移動局ＭＳのユーザ送信データを決定するアルゴリズム、すなわち、データバッファ部１１から取り出すユーザ送信データ並びにそのデータ量を決定するアルゴリズムとしては、既存の“Proportional  Fairness”や“Round  Robin”等の方法が用いられている。
【００６７】
また、割り当て部２１は、上述の選択供給指示によってデータバッファ部１１から供給される合計で１つのタイムスロットＴＴＩで送信可能なデータ量分の１又は複数のユーザ送信データを送信データ制御部１２でスロット送信データに編成する際に、ユーザ送信データの配置順を含めた割り当てをサブスロット配置部２２が決定できるように、上述のスロット送信データに割り当てることに決定した１又は複数のユーザ送信データ並びにその取り出しデータ量と、この取り出す１又は複数のユーザ送信データそれぞれに対して決定した変調方式とを、サブスロット配置指示部２２に基準配置情報として供給する。
【００６８】
この際における変調方式の決定は、割り当て部２１が、伝搬路情報処理部１９から供給される、この取り出す１又は複数のユーザ送信データそれぞれに対応した移動局ＭＳの受信ＳＩＲ等といった無線伝搬路品質情報を基にして、ＭＣＳレベル（Modulation and Coding Scheme）で行っている。
【００６９】
図２は、ＭＣＳレベルの説明図である。
ＭＣＳレベルは、具体的に、低い変調方式の場合はレベルが低く、高い変調方式の場合はレベルが高くなるように、値設定されている。図２に示したデータ変調方式の例では、ＭＣＳレベルと変調方式との対応が、ＭＣＳレベルが高くなるに従って、変調方式は、ＢＰＳＫ，ＱＰＳＫ，１６ＱＡＭ，６４ＱＡＭと高い変調方式になっている。
【００７０】
サブスロット配置部２２は、割り当て部２１から基準配置情報として供給される、スロット送信データに割り当てることに決定した１又は複数のユーザ送信データ並びにその取り出しデータ量、及びその１又は複数のユーザ送信データそれぞれに対して決定された変調方式と、伝搬路情報処理部１９から供給されるこの取り出す１又は複数のユーザ送信データそれぞれに対応した移動局ＭＳのドップラー周波数等の無線伝搬路特性変動情報とに基づいて、上述の選択供給指示によってデータバッファ部１１から送信データ制御部１２に供給される１又は複数のユーザ送信データのスロット送信データにおける時間軸方向のそれぞれ配置を決定する。
【００７１】
サブスロット配置部２２は、このスロット送信データにおける時間軸方向のユーザ送信データそれぞれの配置の決定では、周波数ダイバーシチ方式でスロット送信データに編成するユーザ送信データが複数である場合、その変調方式を考慮しながら、無線伝搬路特性変動速度の速いユーザのユーザ送信データから順番に、パイロットチャネルＰｉＣＨ（パイロットチャネル又はパイロットシンポル）の近いサブスロット位置になるように配置決定する。
【００７２】
サブスロット配置部２２は、この決定したスロット送信データにおける時間軸方向のユーザ送信データそれぞれの配置を、サブスロット配置指示として供給する。
【００７３】
また、サブスロット配置部２２は、この決定したスロット送信データにおける時間軸方向のユーザ送信データそれぞれの配置に対応させて、当該ユーザ送信データ毎に決定した変調方式による変調指示を、データ変調部１４に供給する。
【００７４】
なお、以上説明した構成に関して、データバッファ部１１から送信データ制御部１２，送信データ制御部１２からデータ変調部１４への一連のデータの流れと、スケジューリング部２０からのデータバッファ部１１への選択供給指示，送信データ制御部１２へのサブスロット配置指示，データ変調部１４への変調指示の一連の指示の供給の流れとは、タイミングの同期が取られるようになっている。
【００７５】
本実施の形態の基地局ＢＳは上述したように構成されるが、次にこの基地局ＢＳ，及びそのスケジューリング方法並びに送信機としての作用について説明する。
その説明にあたっては、スケジューリング部２０の割り当て部２１からのデータバッファ部１１への選択供給指示が周波数ダイバーシチ方式に基づくもので、データバッファ部１１から送信データ制御部１２に複数のユーザ送信データを供給して、タイムスロットＴＴＩ毎の下りリンク共用データチャネルＤＳＤＣＨで送信するためのスロット送信データを編成する場合について、スケジューリング部２０のサブスロット配置部２２が決定するスロット送信データにおける時間軸方向の各ユーザ送信データの配置について、図面に基づいて説明する。
【００７６】
なお、説明簡便のため、スロット送信データを編成する複数のユーザ送信データそれぞれに対応した移動局ＭＳの無線伝搬路品質情報を基にして割り当て部２１によって決定されたＭＣＳレベルは全て同一レベルで、サブスロット配置部２２が決定するスロット送信データにおける時間軸方向の各ユーザ送信データの配置の決定には、この複数のユーザ送信データそれぞれの決定した変調方式は影響を与えないものとして説明する。
【００７７】
その上で、送信データ制御部１２から供給されるスロット送信データにデータ変調部１４で時間多重するパイロット信号の多重位置の違い応じた実施例毎に分けて、図面に基づいて説明する。
【００７８】
図３は、データ変調部によってパイロット信号がスロット送信データの先頭に時間多重される場合の無線フレームのタイムスロットＴＴＩにおけるユーザ送信データの配置の一実施例を示したものである。
【００７９】
この場合、スケジューリング部２０のサブスロット配置部２２は、データ変調部１４が送信データ制御部１２から供給されるスロット送信データの先頭にパイロット信号を時間多重することから、データバッファ部１１から送信データ制御部１２に供給される複数のユーザ送信データを、伝搬路情報処理部１９から供給される対応する移動局ＭＳからの無線伝搬路特性変動情報に基づいて、スロット送信データの時間軸方向の先頭側から無線伝搬路特性変動速度の速いユーザのユーザ送信データが順番に配置されるように、各ユーザ送信データの配置を決定する。そして、サブスロット配置部２２は、この決定した各ユーザ送信データの配置を、サブスロット配置指示として送信データ制御部１２に供給する。
【００８０】
これにより、無線フレームのタイムスロットＴＴＩ単位のフレーム構成は、その時間軸方向に、タイムスロットＴＴＩの先頭に配置されたパイロットチャネルＰｉＣＨに続けて、伝搬路特性変動速度の速いユーザ送信データの変調データから伝搬路特性変動速度の遅いユーザ送信データの変調データが順番に配置されてなる下りリンク共用データチャネルＤＳＤＣＨを有する構成になる。
【００８１】
この場合、移動局ＭＳは、タイムスロットＴＴＩの先頭のパイロットチャネルＰｉＣＨを利用して無線伝搬路特性の推定を行う構成になっている。
【００８２】
図４は、割り当て部からサブスロット配置部に基準配置情報として供給された１つのタイムスロットＴＴＩ内に割り当てられたユーザ送信データの無線伝搬路特性変動速度の具体例を示した図である。
【００８３】
図５は、図４に示したユーザ送信データの無線伝搬路特性変動速度の具体例に基づいて、データ変調部によってパイロット信号がスロット送信データの先頭に時間多重される場合の無線フレームのタイムスロットＴＴＩにおけるユーザ送信データの配置の具体例を示したものである。
【００８４】
この場合、上述したスケジューリング部２０のサブスロット配置部２２は、データ変調部１４が送信データ制御部１２から供給されるスロット送信データの先頭にパイロット信号を時間多重することから、スロット送信データの時間軸方向の先頭側からＣ（１００ｋｍ／ｈ），Ａ（６０ｋｍ／ｈ），Ｆ（４０ｋｍ／ｈ），Ｄ（２０ｋｍ／ｈ），Ｂ（１５ｋｍ／ｈ），Ｅ（１０ｋｍ／ｈ）からなるユーザ送信データの配置を決定し、これをサブスロット配置指示として送信データ制御部１２に供給する。
【００８５】
これにより、無線フレームのタイムスロットＴＴＩ単位のフレーム構成は、その時間軸方向に、タイムスロットＴＴＩの先頭に配置されたパイロットチャネルＰｉＣＨに続けて、Ｃ，Ａ，Ｆ，Ｄ，Ｂ，Ｅからなるユーザ送信データが順番に配置されてなる下りリンク共用データチャネルＤＳＤＣＨを有する構成になる。
【００８６】
図６は、データ変調部によってパイロット信号がスロット送信データの先頭に時間多重される場合の無線フレームのタイムスロットＴＴＩにおけるユーザ送信データの配置の別の実施例を示したものである。
【００８７】
この場合、スケジューリング部２０のサブスロット配置部２２は、データ変調部１４が送信データ制御部１２から供給されるスロット送信データの先頭にパイロット信号を時間多重することから、データバッファ部１１から送信データ制御部１２に供給される複数のユーザ送信データを、伝搬路情報処理部１９から供給される対応する移動局ＭＳからの無線伝搬路特性変動情報に基づいて、スロット送信データの時間軸方向の先頭及び末尾の双方からスロット送信データの時間軸方向の中央側へ無線伝搬路特性変動速度の速いユーザのユーザ送信データが順番に配置されるように、各ユーザ送信データの配置を決定する。そして、サブスロット配置部２２は、この決定した各ユーザ送信データの配置を、サブスロット配置指示として送信データ制御部１２に供給する。
【００８８】
これにより、無線フレームのタイムスロットＴＴＩ単位のフレーム構成は、その時間軸方向に、タイムスロットＴＴＩの先頭に配置されたパイロットチャネルＰｉＣＨ側及びタイムスロットＴＴＩの末尾の双方からタイムスロットＴＴＩの中央側へ伝搬路特性変動速度の速いユーザ送信データの変調データから伝搬路特性変動速度の遅いユーザ送信データの変調データが順番に配置されてなる下りリンク共用データチャネルＤＳＤＣＨを有する構成になる。
【００８９】
この場合、タイムスロットＴＴＩ内の前方にユーザ送信データが配置されたユーザの移動局ＭＳは、タイムスロットＴＴＩの先頭のパイロットチャネルＰｉＣＨを利用して無線伝搬路特性の推定を行う構成になっている。
【００９０】
また、タイムスロットＴＴＩ内の後方にユーザ送信データが配置されたユーザの移動局ＭＳは、次のタイムスロットＴＴＩの先頭のパイロットチャネルＰｉＣＨを利用して無線伝搬路特性の推定を行う構成になっている。
【００９１】
また、タイムスロットＴＴＩ内の中央部にユーザ送信データが配置されたユーザの移動局ＭＳは、タイムスロットＴＴＩの先頭のパイロットチャネルＰｉＣＨと、次のタイムスロットＴＴＩの先頭のパイロットチャネルＰｉＣＨとの両方を用い、無線伝搬路特性の推定を行う構成としてもよい。
【００９２】
図７は、データ変調部によってパイロット信号がスロット送信データの末尾に時間多重される場合の無線フレームのタイムスロットＴＴＩにおけるユーザ送信データの配置の一実施例を示したものである。
【００９３】
この場合、スケジューリング部２０のサブスロット配置部２２は、データ変調部１４が送信データ制御部１２から供給されるスロット送信データの末尾にパイロット信号を時間多重することから、データバッファ部１１から送信データ制御部１２に供給される複数のユーザ送信データを、伝搬路情報処理部１９から供給される対応する移動局ＭＳからの無線伝搬路特性変動情報に基づいて、スロット送信データの時間軸方向の先頭側から無線伝搬路特性変動速度の遅いユーザのユーザ送信データが順番に配置されるように、各ユーザ送信データの配置を決定する。そして、サブスロット配置部２２は、この決定した各ユーザ送信データの配置を、サブスロット配置指示として送信データ制御部１２に供給する。
【００９４】
これにより、無線フレームのタイムスロットＴＴＩ単位のフレーム構成は、その時間軸方向に、タイムスロットＴＴＩの先頭に配置されたパイロットチャネルＰｉＣＨに続けて、伝搬路特性変動速度の遅いユーザ送信データの変調データから伝搬路特性変動速度の速いユーザ送信データの変調データが順番に配置されてなる下りリンク共用データチャネルＤＳＤＣＨを有する構成になる。
【００９５】
この場合、移動局ＭＳは、タイムスロットＴＴＩの末尾のパイロットチャネルＰｉＣＨを利用して無線伝搬路特性の推定を行う構成になっている。
【００９６】
図８は、データ変調部によってパイロット信号がスロット送信データの末尾に時間多重される場合の無線フレームのタイムスロットＴＴＩにおけるユーザ送信データの配置の別の実施例を示したものである。
【００９７】
この場合、スケジューリング部２０のサブスロット配置部２２は、データ変調部１４が送信データ制御部１２から供給されるスロット送信データの末尾にパイロット信号を時間多重することから、データバッファ部１１から送信データ制御部１２に供給される複数のユーザ送信データを、伝搬路情報処理部１９から供給される対応する移動局ＭＳからの無線伝搬路特性変動情報に基づいて、スロット送信データの時間軸方向の先頭及び末尾の双方からスロット送信データの時間軸方向の中央側へ無線伝搬路特性変動速度の速いユーザのユーザ送信データが順番に配置されるように、各ユーザ送信データの配置を決定する。そして、サブスロット配置部２２は、この決定した各ユーザ送信データの配置を、サブスロット配置指示として送信データ制御部１２に供給する。
【００９８】
これにより、無線フレームのタイムスロットＴＴＩ単位のフレーム構成は、その時間軸方向に、タイムスロットＴＴＩの先頭に配置されたパイロットチャネルＰｉＣＨ側及びタイムスロットＴＴＩの末尾の双方からタイムスロットＴＴＩの中央側へ伝搬路特性変動速度の速いユーザ送信データの変調データから伝搬路特性変動速度の遅いユーザ送信データの変調データが順番に配置されてなる下りリンク共用データチャネルＤＳＤＣＨを有する構成になる。
【００９９】
この場合、タイムスロットＴＴＩ内の前方にユーザ送信データが配置されたユーザの移動局ＭＳは、タイムスロットＴＴＩの先頭のパイロットチャネルＰｉＣＨを利用して無線伝搬路特性の推定を行う構成になっている。
【０１００】
また、タイムスロットＴＴＩ内の後方にユーザ送信データが配置されたユーザの移動局ＭＳは、次のタイムスロットＴＴＩの先頭のパイロットチャネルＰｉＣＨを利用して無線伝搬路特性の推定を行う構成になっている。
【０１０１】
また、タイムスロットＴＴＩ内の中央部にユーザ送信データが配置されたユーザの移動局ＭＳは、タイムスロットＴＴＩの先頭のパイロットチャネルＰｉＣＨと、次のタイムスロットＴＴＩの先頭のパイロットチャネルＰｉＣＨとの両方を用い、無線伝搬路特性の推定を行う構成としてもよい。
【０１０２】
図９は、データ変調部によってパイロット信号がスロット送信データの中央部に時間多重される場合の無線フレームのタイムスロットＴＴＩにおけるユーザ送信データの配置の実施例を示したものである。
【０１０３】
図１０は、データ変調部によってパイロット信号がスロット送信データの先頭と末尾とに時間多重される場合の無線フレームのタイムスロットＴＴＩにおけるユーザ送信データの配置の実施例を示したものである。
【０１０４】
これら場合、スケジューリング部２０のサブスロット配置部２２は、データ変調部１４が図９の実施例では送信データ制御部１２から供給されるスロット送信データの中央部に、また図１０の実施例では送信データ制御部１２から供給されるスロット送信データの先頭と末尾とにパイロット信号を時間多重することから、データバッファ部１１から送信データ制御部１２に供給される複数のユーザ送信データを、伝搬路情報処理部１９から供給される対応する移動局ＭＳからの無線伝搬路特性変動情報に基づいて、図９の実施例では、スロット送信データの中央部のパイロット信号側からスロット送信データの先頭及び末尾側へ、図１０の実施例では、スロット送信データの先頭及び末尾それぞれのパイロット信号側からスロット送信データの中央側へ、無線伝搬路特性変動速度の速いユーザのユーザ送信データが順番に配置されるように、各ユーザ送信データの配置を決定する。そして、サブスロット配置部２２は、この決定した各ユーザ送信データの配置を、サブスロット配置指示として送信データ制御部１２に供給する。
【０１０５】
これにより、無線フレームのタイムスロットＴＴＩ単位のフレーム構成は、その時間軸方向に、無線伝搬路特性変動速度が速いユーザ送信データをパイロット信号の近くから順番に配置されてなる下りリンク共用データチャネルＤＳＤＣＨを有する構成になる。
【０１０６】
この場合、タイムスロットＴＴＩ内の前方にユーザ送信データが配置されたユーザの移動局ＭＳは、タイムスロットＴＴＩの前後近くのパイロットチャネルＰｉＣＨを利用して無線伝搬路特性の推定を行う構成になっている。
【０１０７】
次に、スロット送信データを編成する複数のユーザ送信データそれぞれに対応した移動局ＭＳの無線伝搬路品質情報を基にして割り当て部２１によって決定されたＭＣＳレベルを考慮した一実施例について、具体的にスロット送信データの先頭にパイロットチャネルＰｉＣＨが時間多重される場合を想定して、図面に基づいて説明する。
【０１０８】
図１１は、スケジューリング部のサブスロット配置部が実行する処理の一実施例のアルゴリズムを示したフローチャートである。
【０１０９】
図１１は、割り当て部２１からの選択供給指示によってデータバッファ部１１から供給される合計で１つのタイムスロットＴＴＩで送信可能なデータ量分の１又は複数のユーザ送信データを、送信データ制御部１２でサブスロット配置部２２からのサブスロット配置指示に基づいてスロット送信データに編成する際に、サブスロット配置指示部２２が行う処理を示したものである。
【０１１０】
サブスロット配置部２２には、その際に割り当て部２１から供給される、スロット送信データに割り当てることに決定した複数のユーザ送信データ並びにその取り出しデータ量と、この取り出す複数のユーザ送信データそれぞれに対して決定した変調方式とを含む基準配置情報が供給される。
【０１１１】
また、サブスロット配置部２２には、割り当て部２１が当該スロット送信データに割り当てた複数のユーザ送信データそれぞれの対応する移動局ＭＳのドップラー周波数等の無線伝搬路特性変動情報が、伝搬路情報処理部１９によって分離されて供給される。
【０１１２】
したがって、割り当て部２１からの選択供給指示によりデータバッファ部１１から送信データ制御部１２に供給された複数のユーザ送信データを送信データ制御部１２でスロット送信データに編成するために、サブスロット配置部２２からサブスロット配置指示を送信データ制御部１２に供給するに際して、サブスロット配置部２２は、その配置決定に備えて、この編成対象であるユーザ送信データそれぞれの対応する移動局ＭＳ，ユーザ送信データそれぞれの変調方式を示したＭＣＳレベル，及び各移動局ＭＳの無線伝搬路特性変動速度ｆｄの取得を行う。
【０１１３】
その上で、サブスロット配置部２２は、編成対象であるユーザ送信データのユーザ送信データの配置を次のようにして決定する。
【０１１４】
まず、サブスロット配置部２２は、編成対象であるユーザ送信データそれぞれに対応する移動局ＭＳの無線伝搬路特性変動速度ｆｄから、無線伝搬路特性変動速度ｆｄの速い順にスロット送信データのタイムスロットＴＴＩ内における配置位置の順番を決定する（Ｓ1101）。
【０１１５】
ここでは、タイムスロットＴＴＩ内の先頭からのユーザ送信データの配置位置の順番ｎを１〜Ｎとし、無線伝搬路特性変動速度ｆｄが最も速いユーザ送信データが配置されるスロット送信データのタイムスロットＴＴＩ内における配置位置の順番を（ｎ＝１）で表し、最も遅いユーザ送信データが配置されるスロット送信データのタイムスロットＴＴＩ内における配置位置の順番を（ｎ＝Ｎ）で表すものとする。
【０１１６】
次に、サブスロット配置部２２は、スロット送信データのタイムスロットＴＴＩ内における配置位置の順番ｎを、無線伝搬路特性変動速度ｆｄが最も速い配置位置の順番（ｎ＝１）にイニシャライズする（Ｓ1102）。
【０１１７】
次に、サブスロット配置部２２は、スロット送信データのタイムスロットＴＴＩ内における配置位置の順番がｎ番目と（ｎ＋１）番目とにそれぞれ決定されているユーザ送信データの無線伝搬路特性変動速度ｆｄ−ｎ，ｆｄ−（ｎ＋１）を比較し（Ｓ1103）、無線伝搬路特性変動速度の差（ｆｄ−ｎ−ｆｄ−（ｎ＋１））が予め設定してある規定値α以上の場合は、スロット送信データのタイムスロットＴＴＩ内における配置位置の順番ｎをインクリメントして次の配置位置の順番（ｎ＝ｎ＋１）に更新し（Ｓ1106）、更新した配置位置の順番ｎが、スロット送信データのタイムスロットＴＴＩ内のサブフレーム数（サブスロット数）Ｎ以上になっているか否かを確認する（Ｓ1106）。
【０１１８】
これに対して、サブスロット配置部２２は、無線伝搬路特性変動速度（ｆｄ−ｎ−ｆｄ−（ｎ＋１））の差が規定値α以下の場合は（Ｓ1103）、この配置位置の順番がｎ番目と（ｎ＋１）番目の配置位置とのそれぞれユーザ送信データのデータ変調方式をＭＣＳ番号（ＭＣＳレベル）で比較する（Ｓ1104）。
【０１１９】
仮に、配置位置の順番がｎ番目のユーザ送信データのＭＣＳ番号をＭＣＳｎ、配置位置の順番が（ｎ＋１）番目のユーザ送信データのＭＣＳ番号をＭＣＳｎ＋１とした場合に、両者が、ＭＣＳｎ＜ＭＣＳｎ＋１で示す関係になっているか否かで、サブスロット配置部２２は上記比較を行う。
【０１２０】
サブスロット配置部２２は、配置位置の順番がｎ番目のユーザ送信データのＭＣＳ番号ＭＣＳｎよりも、配置位置の順番が（ｎ＋１）番目のユーザ送信データのＭＣＳ番号ＭＣＳｎ＋１が大きい（変調度が大きい変調方式である）場合（Ｓ1104）、配置位置の順番がｎ番目のユーザ送信データと配置位置の順番が（ｎ＋１）番目のユーザ送信データとの間で配置位置の順番を相互に入れ替える（Ｓ1105）。そして、タイムスロットＴＴＩ内の配置位置の順番ｎをインクリメントして次の配置位置の順番（ｎ＝ｎ＋１）に更新する（Ｓ1106）。
【０１２１】
一方、サブスロット配置部２２は、配置位置の順番がｎ番目のユーザ送信データのＭＣＳ番号ＭＣＳｎが、配置位置の順番が（ｎ＋１）番目のユーザ送信データのＭＣＳ番号ＭＣＳｎ＋１以下の（変調度が同じ又は小さい変調方式である）場合（Ｓ1104）、配置位置の順番がｎ番目と（ｎ＋１）番目とのユーザ送信データとの間で配置位置の順番を相互に入れ替えることなく、タイムスロットＴＴＩ内の配置位置の順番ｎをインクリメントして更新する（Ｓ1106）。
【０１２２】
タイムスロットＴＴＩ内の配置位置の順番ｎをインクリメントして更新した後、サブスロット配置部２２は、更新した配置位置の順番ｎがタイムスロットＴＴＩ内のサブフレーム数Ｎ以上になっているか否かを確認する（Ｓ1107）。
【０１２３】
この確認の結果、サブスロット配置部２２は、タイムスロットＴＴＩ内の配置位置の順番ｎがタイムスロットＴＴＩ内のサブフレーム数Ｎ以上になっている場合は、本処理の実行を終了する一方、タイムスロットＴＴＩ内の配置位置の順番ｎがタイムスロットＴＴＩ内のサブフレーム数Ｎよりも小さい場合には、ステップＳ1106で更新した配置位置の順番ｎについて、ステップＳ1103以降の処理を繰り返し実行する。すなわち、この場合は、次は、タイムスロットＴＴＩ内の配置位置の順番が（ｎ＋１）番目のユーザと（ｎ＋２）番目のユーザとについて無線伝搬路特性変動速度ｆｄの比較がなされる。
【０１２４】
したがって、前述のステップＳ1105の処理で、配置位置の順番がｎ番目のユーザ送信データと配置位置の順番が（ｎ＋１）番目のユーザ送信データとの間で配置位置の順番を相互に入れ替えが行われている場合は、配置位置の順番が入れ替えられた当初配置位置の順番がｎ番目のユーザ送信データに対して、無線伝搬路特性変動速度ｆｄの比較がなされることになる。
【０１２５】
以上のようにして、サブスロット配置部２２では、１つのスロット送信データのタイムスロットＴＴＩ内に配置されるユーザ送信データに対して、無線伝搬路特性変動速度ｆｄの比較を行い、さらに変調方式を考慮して、ユーザ送信データそれぞれのスロット送信データのタイムスロットＴＴＩ内における配置を決定し、この決定した配置を送信データ制御部１２にサブスロット配置指示として供給する。
【０１２６】
具体的に、データ変調部１４によってパイロット信号がスロット送信データの先頭に時間多重される場合の、無線フレームの１つのタイムスロットＴＴＩにおけるユーザ送信データの配置例について説明する。
【０１２７】
図１２は、１つのタイムスロットＴＴＩ内に割り当てられたユーザ送信データの無線伝搬路特性変動速度と変調方式との例である。
【０１２８】
図１３は、図１２で示した場合において、データ変調部によってパイロット信号がスロット送信データの先頭に時間多重される場合の、無線フレームの１つのタイムスロットＴＴＩにおけるユーザ送信データの配置についての具体例を示した図である。
【０１２９】
ここでは、無線伝搬路特性変動誤差αは５ｋｍ／ｈとして比較する。
図１２から、１つのスロット送信データのタイムスロットＴＴＩ内に配置されるユーザ送信データＡ〜Ｆは、その無線伝搬路特性変動速度ｆｄの順番が速い順に、Ｃ，Ａ，Ｆ，Ｄ，Ｅ，Ｂの順になっている。そのため、スロット送信データのタイムスロットＴＴＩ内におけるユーザ送信データＡ〜Ｆの配置位置の順番は、当初は、パイロットチャネルＰｉＣＨ（パイロットチャネル又はパイロットシンポル）が時間多重されるスロット送信データのタイムスロットＴＴＩの先頭、すなわちパイロットチャネルＰｉＣＨに近い位置から、Ｃ（１００ｋｍ／ｈ），Ａ（６０ｋｍ／ｈ），Ｆ（５８ｋｍ／ｈ），Ｄ（１５ｋｍ／ｈ），Ｅ（１２ｋｍ／ｈ），Ｂ（１０ｋｍ／ｈ）の順に、サブスロット配置部２２によって決定される（図１１、ステップＳ1101）。
【０１３０】
次に、まず、配置位置の順番が１番目のユーザ送信データＣと配置位置の順番が２番目のユーザ送信データＡとの無線伝搬路特性変動速度ｆｄを比較する（ステップＳ1103）。この場合では、両ユーザ送信データＣ，Ａの無線伝搬路特性変動速度ｆｄの差は４０ｋｍあるので、その差は無線伝搬路特性変動誤差αより大きくなり、ユーザ送信データＣとユーザ送信データＡとの間では、スロット送信データのタイムスロットＴＴＩ内の時間軸方向に当初決定された配置位置の順番の入れ替え変更は行われない。
【０１３１】
続いて、配置位置の順番が２番目のユーザ送信データＡと配置位置の順番が３番目のユーザ送信データＦとの間で、互いの無線伝搬路特性変動速度ｆｄを比較する（ステップＳ1103）。この場合では、両ユーザ送信データＡ，Ｆの無線伝搬路特性変動速度ｆｄの差は２ｋｍあるので、その差は無線伝搬路特性変動誤差α以下となる。そこで、今度はユーザ送信データＡとユーザ送信データＦとのデータ変調方式を示すＭＣＳ番号を比較し（ステップＳ1104）、ユーザ送信データＦの変調方式（ＱＰＳＫ，ＭＣＳ番号：２）が、ユーザＡの変調方式（ＢＰＳＫ，ＭＣＳ番号：１）より変調度の高い変調方式を使用しているで、スロット送信データのタイムスロットＴＴＩ内の時間軸方向に当初決定された配置位置の順番の入れ替え変更を行う（ステップＳ1105）。これにより、ユーザ送信データＡは配置位置の順番が３番目になり、ユーザ送信データＦは配置位置の順番が２番目になる。
【０１３２】
続いて、配置位置の順番が３番目のユーザ送信データＡと配置位置の順番が４番目のユーザ送信データＤとの間で、互いの無線伝搬路特性変動速度ｆｄを同様に比較する。
【０１３３】
このようにして、配置位置の順番を、４番目と５番目、５番目と６番目といった具合で繰り返し、ユーザ送信データＡ〜Ｆを当初の配置位置の順番に対して、ユーザ送信データＡ〜Ｆそれぞれの変調方式も考慮して配置位置の順番を決定すると、ユーザ送信データＡ〜Ｆそれぞれのスロット送信データのタイムスロットＴＴＩ内おける配置順は、パイロット信号が時間多重されるスロット送信データのタイムスロットＴＴＩＣの先頭側から、Ｃ，Ｆ，Ａ，Ｅ，Ｄ，Ｂの順となる。
【０１３４】
本実施例によれば、無線フレームの１つタイムスロットＴＴＩ内に配置されるユーザ送信データそれぞれの配置を、無線伝搬路特性変動速度ｆｄだけでなく、変調方式も考慮することによって、更に精度よく復調が行える。
【０１３５】
本発明は、以上説明したように構成されるが、その実施の形態は、上述した実施例の構成に限るものではない。
【０１３６】
例えば、無線フレームの１つタイムスロットＴＴＩ内に配置されるユーザ送信データそれぞれの配置順の決定も、無線伝搬路特性変動速度ｆｄや変調方式といった伝搬路情報だけでなく、各ユーザ送信データのＱｏｓ（Quality of services）等を伝搬路情報として使用して、配置順を決定することもできる。例えば、伝搬路情報としてＱｏｓを使用した場合は、Ｑｏｓが高いユーザ程、そのユーザ送信データをパイロットチャネルＰｉＣＨ又はパイロットシンポル（例えば，下りリンク共通パイロットＤＣＰｉＣＨ）の近くに配置するようにしてもよい。
【図面の簡単な説明】
【０１３７】
【図１】本発明の一実施の形態による基地局の構成図である。
【図２】ＭＣＳの説明図である。
【図３】データ変調部によってパイロット信号がスロット送信データの先頭に時間多重される場合の無線フレームのタイムスロットＴＴＩにおけるユーザ送信データの配置の一実施例を示した図である。
【図４】割り当て部からサブスロット配置部に基準配置情報として供給された１つのタイムスロットＴＴＩ内に割り当てられたユーザ送信データの無線伝搬路特性変動速度の具体例を示した図である。
【図５】図４に示したユーザ送信データの無線伝搬路特性変動速度の具体例に基づいて、データ変調部によってパイロット信号がスロット送信データの先頭に時間多重される場合の無線フレームのタイムスロットＴＴＩにおけるユーザ送信データの配置の具体例を示した図である。
【図６】データ変調部によってパイロット信号がスロット送信データの先頭に時間多重される場合の無線フレームのタイムスロットＴＴＩにおけるユーザ送信データの配置の別の実施例を示した図である。
【図７】データ変調部によってパイロット信号がスロット送信データの末尾に時間多重される場合の無線フレームのタイムスロットＴＴＩにおけるユーザ送信データの配置の一実施例を示した図である。
【図８】データ変調部によってパイロット信号がスロット送信データの末尾に時間多重される場合の無線フレームのタイムスロットＴＴＩにおけるユーザ送信データの配置の別の実施例を示した図である。
【図９】データ変調部によってパイロット信号がスロット送信データの中央部に時間多重される場合の無線フレームのタイムスロットＴＴＩにおけるユーザ送信データの配置の実施例を示した図である。
【図１０】データ変調部によってパイロット信号がスロット送信データの先頭と末尾とに時間多重される場合の無線フレームのタイムスロットＴＴＩにおけるユーザ送信データの配置の実施例を示した図である。
【図１１】スケジューリング部のサブスロット配置部が実行する処理の一実施例のアルゴリズムを示したフローチャートである。
【図１２】１つのタイムスロットＴＴＩ内に割り当てられたユーザ送信データの無線伝搬路特性変動速度と変調方式との例である。
【図１３】図１２で示した場合において、データ変調部によってパイロット信号がスロット送信データの先頭と時間多重される場合の無線フレームのタイムスロットＴＴＩにおけるユーザ送信データの配置についての具体例を示した図である。
【図１４】本発明が想定する３ＧＰＰの提案をベースに想定されているＥＵＴＲＡの上り・下りリンクのチャネル構成図である。
【図１５】本発明が想定するＥＵＴＲＡの下りリンク無線フレームの構成図である。
【図１６】本発明が想定するＥＵＴＲＡの下りリンク無線伝搬路における無線伝搬路特性変動速度の影響についての説明図である。
【符号の説明】
【０１３８】
ＢＳ  基地局
１１  データバッファ部
１２  送信データ制御部
１３  パイロット生成部
１４  データ変調部
１５  無線送信部
１６  アンテナ部
１７  無線受信部
１８  上りリンク受信処理部
１９  伝搬路情報処理部
２０  スケジューリング部
２１  割り当て部
２２  サブスロット（ｓｕｂ−ＴＴＩ）配置部
【図１】
2007116427.tif 000003
【図２】
2007116427.tif 000004
【図３】
2007116427.tif 000005
【図４】
2007116427.tif 000006
【図５】
2007116427.tif 000007
【図６】
2007116427.tif 000008
【図７】
2007116427.tif 000009
【図８】
2007116427.tif 000010
【図９】
2007116427.tif 000011
【図１０】
2007116427.tif 000012
【図１１】
2007116427.tif 000013
【図１２】
2007116427.tif 000014
【図１３】
2007116427.tif 000015
【図１４】
2007116427.tif 000016
【図１５】
2007116427.tif 000017
【図１６】
2007116427.tif 000018